(57)【特許請求の範囲】
【請求項１】
着脱可能なカートリッジを備えてなる、蛇口に直接取り付け可能な蛇口直結型浄水器において、前記カートリッジの交換時期を表示するためのリング状の表示体を備え、前記表示体は前記浄水器の本体と前記カートリッジとの間に設置された表示体保持部材によって保持され、前記表示体保持部材が嵌合部、リング状部および係止部をこの順に有し、前記表示体保持部材の嵌合部には凹部または凸部が設けられ、前記浄水器の本体には凸部または凹部が設けられ、前記表示体保持部材に設けられた凹部または凸部と、前記浄水器の本体に設けられた凸部または凹部とが係合することによって、前記表示体保持部材は前記浄水器の本体に挟持固定され、前記表示体が前記浄水器の本体と前記係止部の間のリング状部に回動可能に保持され、前記蛇口直結型浄水器を組み立てて蛇口に取り付けた状態において、前記表示体を操作可能としたことを特徴とする蛇口直結型浄水器。
【請求項２】
着脱可能なカートリッジを備えてなる、蛇口に直接取り付け可能な蛇口直結型浄水器において、前記カートリッジの交換時期を表示するためのリング状の表示体と、前記浄水器の本体に着脱可能な部材とを備え、前記表示体は前記浄水器の本体と前記着脱可能な部材との間に設置された表示体保持部材によって保持され、前記表示体保持部材が嵌合部、リング状部および係止部をこの順に有し、前記表示体保持部材の嵌合部には凹部または凸部が設けられ、前記浄水器の本体には凸部または凹部が設けられ、前記表示体保持部材に設けられた凹部または凸部と、前記浄水器の本体に設けられた凸部または凹部とが係合することによって、前記表示体保持部材は前記浄水器の本体に挟持固定され、前記表示体が前記浄水器の本体と前記係止部の間のリング状部に回動可能に保持され、前記浄水器の本体に前記着脱可能な部材を装着して前記蛇口直結型浄水器を組み立てて蛇口に取り付けた状態において、前記表示体を操作可能としたことを特徴とする蛇口直結型浄水器。
【請求項３】
前記着脱可能な部材は、前記カートリッジを覆うカバーであることを特徴とする請求項２記載の蛇口直結型浄水器。
【請求項４】
前記表示体の拡径部が前記浄水器本体に係止されることによって前記表示体は前記浄水器本体に回動可能に保持されることを特徴とする請求項１ないし３のいずれか１項に記載の蛇口直結型浄水器。
【請求項５】
前記表示体に設けられたカートリッジの交換時期を表示する表示部の全体が外部に露出していることを特徴とする請求項１ないし４のいずれか１項に記載の蛇口直結型浄水器。
【発明の詳細な説明】
【技術分野】
【０００１】
本発明は、カートリッジの交換時期を表示する表示体を備えた蛇口直結型浄水器に関するものである。
【背景技術】
【０００２】
従来、浄水器におけるカートリッジは、使用による濾過性能の低下に対応するために交換可能に構成されているが、使用者自身が交換時期を適切に判断することが難しいことから、カートリッジの交換時期を表示する表示体を設けた浄水器が提供されている。
【０００３】
例えば、特許文献１に示された浄水器は、本体あるいはカバーにカートリッジの交換時期を表示するための回転あるいはスライド自在に移動可能な表示体を備えている。新しいカートリッジを浄水器に装着する際に、表示体を移動調整して、使用開始時期あるいは使用終了時期を設定することにより、常時、カートリッジの交換時期を目視できるようになっている。そして、本体及び表示体に互いに嵌合する凹凸が設けられ、カバーを外すときにしか表示体が回転しないようになっている。
【０００４】
また、特許文献２に示された浄水器においては、回動操作可能な表示体を用いて浄水器本体の上面の窓部にカートリッジを交換すべき時期を表示しており、表示体が汚れにくくなるように表示体の配置も配慮してある。
【０００５】
あるいは、特許文献３に示された浄水器においては、カートリッジの寿命を表す指標である浄水使用量をインジケータで検知し、ＬＣＤに表示することで、カートリッジの交換時期を使用者に知らせるようにしてある。
【０００６】
しかし、特許文献１に示された浄水器は、表示する時期の変更を忘れたときや間違えたときに、表示する時期を変更するためにわざわざカバーを外さなければならず面倒であるという問題があった。
【０００７】
特許文献２に示された浄水器においては、表示体が汚れにくくなるような配慮はされているが、表示体が汚れてしまった場合の配慮がなされていない。
【０００８】
特許文献３に示された浄水器においては、浄水使用量をインジケータで検知し、ＬＣＤに表示するため、浄水器使用者の家族構成に関わらずカートリッジの交換時期を適切に判断出来るが、浄水使用量を検知するインジケータや浄水使用量を表示するためのＬＣＤ及びこれらを作動させるための電源を必要とするため、浄水器のコストを押し上げてしまうという問題があった。
【０００９】
そこで、特許文献４には、蛇口に直接取り付け可能な浄水器本体と、前記浄水器本体に着脱自在なカートリッジとを備えた蛇口直結型浄水器において、前記カートリッジの交換時期を表示するための表示体と、前記表示体の位置決め手段とを備え、前記表示体は外面に露出しており、前記浄水器本体にカートリッジを装着し前記蛇口直結型浄水器を組み立て蛇口に取り付けた状態において、前記表示体を操作可能とした蛇口直結型浄水器が開示されている。
【００１０】
特許文献４に開示された浄水器によれば、浄水器本体に対して着脱可能である、カートリッジの交換時期を表示するための表示体を容易に操作することができ、表示体が汚れた場合でも容易に掃除することができると記載されている。
【先行技術文献】
【特許文献】
【００１１】
【特許文献１】特開平６−７９２６５号公報
【特許文献２】特開２００８−２１２９３２号公報
【特許文献３】特開平１０−１１８６４１号公報
【特許文献４】特開２０１１−１７３１１２号公報
【発明の概要】
【発明が解決しようとする課題】
【００１２】
しかしながら、特許文献４に開示された浄水器においても、カートリッジやカートリッジカバーや表示体などは浄水器本体に対して着脱可能であるから、着脱可能ないずれかの部材を浄水器本体から着脱するときに、誤って表示体が外れて落下してしまうという不具合が懸念される。
【００１３】
本発明は、上記の問題点に鑑み、カートリッジを装着して浄水器を組み立てて蛇口に取り付けた状態においてカートリッジの交換時期を表示するための表示体を容易に操作できて、しかも、その表示体が落下する恐れがない蛇口直結型浄水器を提供することを目的とする。
【課題を解決するための手段】
【００１４】
前記課題を解決するため、本発明は下記の構成から成る。
【００１５】
すなわち、蛇口に直接取り付け可能な浄水器本体と、前記浄水器本体に着脱可能なカートリッジとを備えた蛇口直結型浄水器において、前記カートリッジの交換時期を表示するための表示体を備え、前記表示体は前記浄水器本体と前記カートリッジとの間に設置され、かつ前記表示体は取り出すことができないように前記浄水器本体に係止保持されており、前記浄水器本体にカートリッジを装着して前記蛇口直結型浄水器を組み立てて蛇口に取り付けた状態において、前記表示体を操作可能とする。
【００１６】
また、蛇口に直接取り付け可能な浄水器本体と、前記浄水器本体に着脱可能なカートリッジとを備えた蛇口直結型浄水器において、前記カートリッジの交換時期を表示するための表示体と、前記浄水器本体に着脱可能な部材とを備え、前記表示体は前記浄水器本体と前記着脱可能な部材との間に設置され、かつ前記表示体は取り出すことができないように前記浄水器本体に係止保持されており、前記浄水器本体にカートリッジおよび前記着脱可能な部材を装着して前記蛇口直結型浄水器を組み立てて蛇口に取り付けた状態において、前記表示体を操作可能とする。
【００１７】
前記着脱可能な部材は、前記カートリッジを覆うカバーであることが好ましい。
【００１８】
また、嵌合部、リング状部および係止部をこの順に有する表示体保持部材を備え、前記表示体がリング状であって、前記表示体は前記表示体保持部材のリング状部に回動可能に保持され、前記表示体保持部材の嵌合部には凹部または凸部が設けられ、前記浄水器本体には凸部または凹部が設けられ、前記表示体保持部材に設けられた凹部または凸部と、前記浄水器本体に設けられた凸部または凹部とが係合することによって、前記表示体保持部材は前記浄水器本体に挟持固定され、前記表示体が前記浄水器本体と前記係止部の間に回動可能に保持されることが好ましい。
【００１９】
また、前記表示体がリング状であって、前記表示体の拡径部が前記浄水器本体に係止されることによって前記表示体は前記浄水器本体に回動可能に保持されることが好ましい。
【００２０】
さらに、前記表示体に設けられたカートリッジの交換時期を表示する表示部の全体が外部に露出していることが好ましい。
【発明の効果】
【００２１】
本発明によれば、浄水器本体にカートリッジを装着するか又は浄水器本体にカートリッジおよび着脱可能な部材を装着して蛇口直結型浄水器を組み立てて蛇口に取り付けた状態においても表示体を操作可能としているので、表示する時期の変更を忘れたときや間違えたときでも、浄水器を蛇口から取り外したり、分解したりすることなく、表示する時期を変更することが可能である。しかも、表示体は取り出すことができないように浄水器本体に係止保持されているので、カートリッジやカートリッジカバーなどの着脱可能な部材を浄水器本体から着脱するときに表示体を誤って落下させることがない。
【００２２】
また、着脱可能な部材がカートリッジを覆うカバーであれば、カバーを着脱するだけで浄水器本体へカートリッジを良好に装着することができる。
【００２３】
また、嵌合部、リング状部および係止部をこの順に有する表示体保持部材を備え、前記表示体がリング状であって、前記表示体は前記表示体保持部材のリング状部に回動可能に保持され、前記表示体保持部材の嵌合部には凹部または凸部が設けられ、前記浄水器本体には凸部または凹部が設けられ、前記表示体保持部材に設けられた凹部または凸部と、前記浄水器本体に設けられた凸部または凹部とが係合することによって、前記表示体保持部材は前記浄水器本体に挟持固定され、前記表示体が前記浄水器本体と前記係止部の間に回動可能に保持されれば、表示体保持部材は浄水器本体に強固に固定され、さらに、表示体が浄水器本体と表示体保持部材の係止部との間に保持されるので、表示体は取り外すことができず、表示体を誤って落下させることがない。
【００２４】
また、表示体がリング状であって、表示体の拡径部が浄水器本体に係止されることによって表示体が浄水器本体に回動可能に保持されれば、表示体を操作中や着脱可能な部材を浄水器本体から着脱するときに表示体を誤って落下させることがない。
【００２５】
表示体に設けられたカートリッジの交換時期を表示する表示部の全体が外部に露出していれば、使用者が表示体を直接視認しやすく、表示する時期の変更を忘れたときや間違えたときに、表示する時期を速やかに正しく変更することが可能である。また、表示部の全体が外部に露出していれば、表示体が汚れた場合、拭き取り掃除などがしやすい。
【図面の簡単な説明】
【００２６】
【図１】本発明に係る浄水器の一実施形態の正面図である。
【図２】図１の浄水器を構成する浄水器本体において、上部カバーおよび水流切換機構を取り除いた状態を示す拡大平面図である。
【図３】表示体の斜視図である。
【図４】図４（ａ）（ｂ）は表示体保持部材の斜視図である。
【図５】表示体と表示体保持部材を組み合わせた状態を示す斜視図である。
【図６】表示体の拡径部が浄水器本体に係止される状態を示す模式図である。
【図７】本発明に係る浄水器の別の実施形態の平面図である。
【発明を実施するための形態】
【００２７】
以下に本発明の実施形態を図面を用いて説明するが、本発明は以下の実施形態に限定されるものではなく、本発明の技術的範囲を逸脱しない範囲において様々な変更や修正が可能である。
【００２８】
図１は本発明に係る浄水器の一実施形態の正面図である。図１において、浄水器１は、浄水器本体２と、浄水器本体２に対して着脱可能な略円柱形のカートリッジ３とを備えている。浄水器本体２は上部カバー４と下部カバー５と、上部カバー４と下部カバー５とで構成されるカバー内に配置される水流切換機構とを有し、右側方に水流の切換レバー６が配置されている。上部カバー４と下部カバー５に設けた図示しない螺着部に螺子を挿通して螺着することにより、浄水器本体２は閉じられる。
【００２９】
浄水器本体２とカートリッジ３との間には、表示体保持部材７と、表示体保持部材７に保持されたカートリッジの交換時期を表示可能な表示体８が配置されている。表示体８は浄水器１を蛇口に取り付けた状態においても操作可能である。また、この実施形態においては、表示体８の表示部の全体が外部に露出しているが、必ずしも表示部の全体が外部に露出している必要はなく、少なくとも浄水器本体２に設ける合いマーク（カートリッジの交換時期を指示する印、図示せず）に合致する部分の表示体８に設けられた交換時期を表示する文字や数字を視認することができる程度に表示体８が露出していればよい。
【００３０】
浄水器１は、取り付けナット９を用いて蛇口の先端に固定されている。表示体８は浄水器１を蛇口に取り付けた状態においても操作可能にしているので、表示する時期の変更を忘れたときや間違えたときでも、浄水器１を蛇口から取り外したり、分解したりすることなく表示する時期を変更することが可能である。また、表示体８の表示部の全体が外部に露出していれば、使用者が表示体８を直接視認しやすく、汚れた場合、拭き取り掃除などがしやすい。
【００３１】
ここでいう浄水器本体２とは、表示体８と、カートリッジ３など浄水器本体と着脱可能な部材以外の継続的に使用される組立体であり、水流切換機構を内蔵している部材である。
【００３２】
カートリッジ３は、成形加工性が良く強度も高いＡＢＳ樹脂製の有底円筒形状を有するハウジング内に、活性炭等の吸着材と中空糸膜を充填したものである。カートリッジ３の下部側面には原水通水入口が設けられ、底部には浄水通水出口が設けられている。
【００３３】
カートリッジ３の交換は、脱着が容易なバヨネット構造としているが、ねじ固定構造や嵌合部材からなる嵌着構造でもよい。また、表示体８は、カートリッジ３を取り付けた状態においても操作可能としているので、表示する時期の変更を忘れたときや間違えたときでも、カートリッジ３を取り外すことなく表示する時期を変更することが可能である。
【００３４】
カートリッジ３は、内部の中空糸膜を見て、その汚れ具合が確認できるように、ハウジングの一部あるいは全部を透明ＡＢＳ樹脂とするのが好ましい。アクリル樹脂やポリスチレン、ＡＳ樹脂などでも良い。
【００３５】
次に、カ−トリッジ３の交換時期を表示する表示体８およびその表示機構、位置決め手段、表示体保持部材７の係合機構、表示体８の落下防止機構について詳細に説明する。
【００３６】
まず、表示体８およびその表示機構を説明する。
【００３７】
表示体８は、回動可能とすると操作が容易になる。さらに、表示体８の形状をリング形状にすると操作が容易になり好ましい。もちろん、表示する時期を変更するための操作としては、回動によるものだけでなく、例えば（往復動作を含む）直線的な直動、スライド動作によるものであってもよい。
【００３８】
表示体８はリング状で、浄水器本体２とカートリッジ３との間に配置されているので、浄水器の使用中に表示体８を操作しても浄水器本体２から表示体８が外れることがなく、安定した操作性を得ることができる。表示体８の外周面８ａには表示部として、月単位の交換時期の文字または数字を印刷したシールを貼り付けることができる。表示部としては表示体８への印刷や刻印でもよい。このような簡易な表示であれば、ＬＣＤによる表示などよりはるかに安価に製造することができる。表示体８は回動可能であり、任意の位置に停止することができる。浄水器本体２に設けた合いマーク（カートリッジの交換時期を指示する印、図示せず）と表示体８の外周面８ａに表示した文字や数字とが合致すれば、使用者はカートリッジの交換時期を確認することができ、交換時期を忘れることがない。
【００３９】
なお、前記合いマークの近傍に、「カ−トリッジ交換時期」、「次回交換時期」、「交換時期」等の補足文字を印刷、刻印やシ−ル等でその付近に設ければ、表示を補足してより分かり易くなり、機能性を高めることができる。
【００４０】
本実施形態では、表示体８にカートリッジの交換時期の文字をシールや印刷、刻印により設け、浄水器本体２に合いマークを設ける場合について説明したが、逆に表示体８に合いマークを、浄水器本体２にカートリッジの交換時期を表示する文字や数字を設けることも可能である。特に表示体８を直動操作する場合には、後者ケース（表示体８に合いマークを設ける場合）の方が、表示体８をコンパクトに構成できる。この直動操作での交換時期の表示は、例えば、次のような構成で実現できる。浄水器本体２に直線部を有する部分を形成し、その部分に直線状の溝を設け、溝の近傍の浄水器本体２の外面に、溝の長手方向に沿って、交換時期の複数の文字を印刷する。一方、表示体８はその長さを溝の長手方向長さより短くし、その表面には合いマークを印刷すると共に、溝に嵌着できる形状寸法とする。溝の内側側面に交換時期の文字に対応して複数の凹部を設け、表示体８の外側面には、その凹部に係合する凸部を設ける。表示体８を溝に嵌め込んで、溝の長手方向にスライドさせることにより、クリック感を持って、表示体８を位置決めし、交換時期を表示することができる。
【００４１】
また、本実施形態では、表示体８にカートリッジの交換時期を表示する文字や数字を表示する場合について説明したが、カートリッジ寿命が明らかにわかっている場合には、表示する文字や数字をカートリッジの開始時期とすることにより、結果としてカートリッジ交換時期を使用者に示すことも可能である。
【００４２】
次に、表示体８の位置決め手段について説明する。
【００４３】
図３に示すように、表示体８の内周面には、三角形断面の三角柱部分が連続的に繰り返して形成されることによって、三角形の頂部に相当する部分である凸部１０と、隣接する三角形の頂部のあいだに相当する部分である凹部１１とが交互に連続的に形成される。図４（ａ）（ｂ）に示すように、表示体保持部材７は半円状のリング状部１２と半円状の割りリング状部１３（嵌合部）を有している。リング状部１２の外周面には、三角柱状の突起部を備えた凸部１４が形成されている。前記凹部１１は凸部１４に係合することが可能である。凸部１４は片持ち梁状部材１４ａの先端部に形成されており、片持ち梁状部材１４ａの基端部（先端部とは反対側の部分）を支点として高さ方向に変移可能である。すなわち、片持ち梁状部材１４ａが高さ方向に変移することが可能なように、片持ち梁状部材１４ａの長手方向両端部には切り込みＣ１、Ｃ２が形成されている。
【００４４】
そして、表示体８を表示体保持部材７のリング状部１２に装着して、表示体８の凹部１１の１つにリング状部１２の凸部１４が係合した状態から、表示体８を回転させると、凸部１４は沈み込むように変位して凹部１１から外れる。表示体８を少し回転させたところで次の凹部１１に凸部１４が嵌り込む。この瞬間に、「カチッ」という感触が、回転操作した使用者に感じられる。凹部１１と凸部１４が係合する位置で、合いマークが表示体８の外周面８ａ（図１参照）の表示部の数字または各数字の間を指すようになっている。このように、使用者は算出したカートリッジの交換時期が合いマークの指し示す位置にくるように、表示体８を回転して合わせ、位置決めすることができる。浄水器本体２とカートリッジ３との間に表示体８を取り付けた状態でも、この表示体８を回動可能としているので、使用者は容易に表示体８を回転させることができ、「カチッ」という明確な感触を得ながら停止させることができる。このとき表示体８の凹部１１と表示体保持部材７のリング状部１２の凸部１４が係合しているので表示体８がずれてしまうことがない。図３では、表示体８をリング状としているが、リングの一部を切り欠いたような形状でもよい。
【００４５】
本実施形態は、表示体８の凹部１１と、表示体保持部材７のリング状部１２の凸部１４とが係合する場合について説明したが、表示体８の凸部１０に係合可能な凹部を表示体保持部材７のリング状部１２に設け、表示体８の凸部１０と表示体保持部材７のリング状部１２に設けた凹部とが係合するようにしてもよい。この場合、表示体保持部材７のリング状部１２に設けた凹部が高さ方向に変位するような構造を採用すればよい。
【００４６】
さらに、表示体保持部材７の係合機構について説明する。
【００４７】
図４（ａ）（ｂ）に示すように、表示体保持部材７の半円状の割りリング状部１３（嵌合部）には左右一対の円弧状の凹部１５ａ、１５ｂが形成されている。図２に示すように、浄水器本体２の下部カバー５の内面には凹部１５ａ、１５ｂと係合可能な凸部１６が形成されている。そこで、表示体保持部材７の半円状の割りリング状部１３の円弧状の凹部１５ａ、１５ｂを浄水器本体２の下部カバー５の凸部１６と係合させることにより、表示体保持部材７を浄水器本体２の下部カバー５に挟持固定することが可能である。この場合、下部カバー５の内面に設けた凸部１６と同じ機能（凹部１５ａ、１５ｂと係合可能であること）を発揮する凸部を上部カバー４の内面に設ければ、表示体保持部材７の半円状の割りリング状部１３の円弧状の凹部１５ａ、１５ｂを上部カバー４に設けた上記凸部と係合させることにより、表示体保持部材７を浄水器本体２の上部カバー４に挟持固定することが可能である。さらに、下部カバー５の内面に設けた凸部１６と同じ機能（凹部１５ａ、１５ｂと係合可能であること）を発揮する凸部を上部カバー４と下部カバー５の両方の内面に設ければ、表示体保持部材７の半円状の割りリング状部１３の円弧状の凹部１５ａ、１５ｂを上部カバー４と下部カバー５に設けた上記凸部と係合させることにより、表示体保持部材７を浄水器本体２の上部カバー４と下部カバー５との間に挟持固定することが可能である。また、この係合方式とは逆に、表示体保持部材７の半円状の割りリング状部１３に凸部を設け、この凸部と係合可能な円弧状の凹部を浄水器本体２の上部カバー４および／又は下部カバー５の内面に設け、これら凸部と凹部が係合するようにしてもよい。
【００４８】
次に、表示体の落下防止機構について説明する。
前記したように、表示体８は、表示体保持部材７のリング状部１２に回動可能に保持されているが（図５参照）、それだけでは、カートリッジやカートリッジカバーなどの着脱可能な部材を浄水器本体から着脱するときに表示体８を誤って落下させることがある。このような事態が生じないようにするために、表示体保持部材７は係止部３４も有している（図４、図５参照）。そして表示体８は、浄水器本体（のカバー）と係止部３４の間に回動可能に保持されている（図１、図２および図５参照）。このため、表示体８は表示体保持部材７の係止部３４に係止されており、リング状部１２からずれ落ちることがない。そして、前記したように、表示体保持部材７は浄水器本体（の表示体保持部材７以外の部材であるカバー）に挟持固定されているわけであるから、結局表示体８は、取り出すことができないように浄水器本体２に係止保持されており、カートリッジやカートリッジカバーなどの着脱可能な部材を浄水器本体２から着脱するときでも落下することがない。
【００４９】
次に、上記した表示体の落下防止機構の実施形態例とは異なる表示体の落下防止機構の実施形態例を図６に示す。図６に示すように、リング状の表示体１７に拡径部１８を設け、拡径部１８が浄水器本体の上部カバー１９と下部カバー２０に係止されるように構成されている。従って、着脱可能な部材を浄水器本体から着脱するときに表示体１７を誤って落下させることがない。この実施形態においても、表示体１７は浄水器本体に回動可能に、かつ取り出すことができないように浄水器本体に係止保持されている。
【００５０】
次に、本発明に係る浄水器の別の実施形態について、その平面図である図７を参照しながら説明する。
【００５１】
図７において、浄水器２１は、浄水器本体２２の右側方に水流の切換レバー２３が配置され、切換レバー２３の後方にカートリッジ２４を覆う着脱可能な円筒状カバー２５が配置され、浄水器本体２２及び円筒状カバー２５（カートリッジを覆うカバー、すなわちカートリッジカバー）とで形成される空間には、円柱形のカートリッジ２４が配置されている。浄水器本体２２は、図１に示す浄水器本体と同様に、上部カバーと下部カバー（図示せず）を有している。浄水器２１は、蛇口の先端を蛇口接続部２８に挿入し、取り付けナット２７（浄水器本体を蛇口に取り付けるための部材）を用いてねじ固定することで、蛇口に接続される。
【００５２】
浄水器本体２２の円筒状カバー取り付け端部と、着脱可能な部材である円筒状カバー２５との間には、カ−トリッジ交換時期を表示可能な表示体２６が、浄水器本体２２にカートリッジ２４および着脱可能な部材を装着して蛇口直結型浄水器を組み立てて蛇口に取り付けた状態においても、表示体２６を操作可能で、かつ、この表示体が備える表示部３３の全体が外面に露出するように配置されている。
【００５３】
また、本発明の浄水器の本実施形態例においては、表示体２６は、上述した図２〜図５の表示体保持部材を使用した表示体の落下防止機構により取り出すことができないように前記浄水器本体に係止保持されている。すなわち、表示体２６は浄水器本体２２と表示体保持部材が備える係止部３５との間に回動可能に保持されている。なお、本発明の浄水器は本実施形態例に限定されることはないため、上述した図２〜図５の表示体保持部材を使用した表示体の落下防止機構に替えて上述した図６の表示体保持部材を必要としない表示体の落下防止機構を採用したものであってもよい。
【００５４】
このように、表示体２６は浄水器を蛇口に取り付けた状態においても操作可能にしているので、表示する時期の変更を忘れたときや間違えたときにでも、浄水器を蛇口から取り外したり、分解したりすることなく表示する時期を変更することが可能となる。また、表示体２６が外面に露出しているので、使用者が表示体を直接視認しやすし、汚れた場合ふき取り掃除などがしやすい。さらに、表示体２６は、円筒状カバー２５を取り付けた状態においても操作可能としているので、表示する時期の変更を忘れたときや間違えたときにでも、円筒状カバー２５を取り外すことなく表示する時期を変更することが可能となる。
【００５５】
なお、ここでいう浄水器本体２２とは、表示体２６と、カートリッジ２４および円筒状カバー２５など浄水器本体２２と着脱可能な部材以外の継続的に使用される組立体であり、水流切換機構を内蔵している部材である。
【００５６】
浄水器本体２２は、円筒状カバー２５の中心軸が水平方向になるように配置されると共に、蛇口接続部２８の中心軸が垂直方向になるように配置されるようにすると、使用するにあたって、浄水器の上下方向を小さくしてコンパクトな構成とすることができる。
【００５７】
カートリッジ２４は、成形加工性が良く強度も高いＡＢＳ樹脂製の有底円筒形状を有するハウジング内に、活性炭等の吸着材と中空糸膜を充填したものである。カートリッジ２４の底部には、管状の原水通水入口２９、管状の浄水通水出口３０が設けられており、浄水器本体２２との接続部での水漏れを防止するためパッキン３１が設けられている。パッキン３１には、Ｏリングのような断面が円形のものや、角形のものなどが使用できる。３２は浄水器本体２２に設けた合いマーク（カートリッジの交換時期を指示する印）、３３は交換時期の月を表示する表示部である。
【００５８】
カートリッジ２４の交換は、円筒状カバー２５を浄水器本体２２の円筒状カバー取り付け端部から取り外すことで可能となる。なお、浄水器本体２２の円筒状カバー取り付け端部への円筒状カバー２５の接続方法は、脱着が容易なバヨネット構造としているが、ねじ固定構造やパチンと嵌る嵌着構造でもよい。
【産業上の利用可能性】
【００５９】
本発明は、蛇口直結型浄水器に限らず据置型浄水器やアンダーシンク型浄水器にも用いることができるが、本発明の利用範囲はこれらに限定されるものではない。
【符号の説明】
【００６０】
１  浄水器
２  浄水器本体
３  カートリッジ
４  上部カバー
５  下部カバー
６  切換レバー
７  表示体保持部材
８  表示体
８ａ  外周面
９  取り付けナット
１０  凸部
１１  凹部
１２  リング状部
１３  割りリング状部
１４  凸部
１４ａ  片持ち梁状部材
１５ａ  凹部
１５ｂ  凹部
１６  凸部
１７  表示体
１８  拡径部
１９  上部カバー
２０  下部カバー
２１  浄水器
２２  浄水器本体
２３  切換レバー
２４  カートリッジ
２５  円筒状カバー
２６  表示体
２７  取り付けナット
２８  蛇口接続部
２９  原水通水入口
３０  浄水通水出口
３１  パッキン
３２  合いマーク
３３  表示部
３４  係止部
３５  係止部
【図１】
0006665540.tif 000002
【図２】
0006665540.tif 000003
【図３】
0006665540.tif 000004
【図４】
0006665540.tif 000005
【図５】
0006665540.tif 000006
【図６】
0006665540.tif 000007
【図７】
0006665540.tif 000008